(57)【要約】【課題】電動リールのモータが損傷することを防止する。【解決手段】釣り情報表示装置４は、取得部４６１、表示制御部４６２、判定部４６３、及び通知部４６４を備える。取得部４６１は、電動リール１から出力されるモータ駆動情報を取得する。表示制御部４６２は、取得部４６１によって取得するモータ駆動情報を表示部４１に表示させる。判定部４６３は、モータ駆動情報に基づき、モータ１４の駆動状態が規定内か否かを判定する。通知部４６４は、判定部４６３においてモータ１４の駆動状態が規定外であると判定された場合にモータ１４の駆動状態が規定外であることを通知する。【選択図】図１４
2014161240.tif 000002
【特許請求の範囲】
【請求項１】
モータによって釣糸を巻き上げる電動リールにおける前記モータの駆動状態を示すモータ駆動情報を表示する表示部を有する釣り情報表示装置であって、
前記電動リールから出力される前記モータ駆動情報を取得する取得部と、
前記取得部によって取得する前記モータ駆動情報を前記表示部に表示させる表示制御部と、
前記モータ駆動情報に基づき、前記モータの駆動状態が規定内か否かを判定する判定部と、
前記判定部において前記モータの駆動状態が規定外であると判定された場合に前記モータの駆動状態が規定外であることを通知する通知部と、
を備える、釣り情報表示装置。
【請求項２】
前記モータ駆動情報は、前記モータに流れる電流値、及び前記モータの温度の少なくとも一方を含む、請求項１に記載の釣り情報表示装置。
【請求項３】
前記モータ駆動情報は、前記モータに流れる電流値を含み、
前記判定部は、前記モータに流れる電流値が第１の閾値未満である場合に前記モータの駆動状態が規定内であると判定し、前記モータに流れる電流値が前記第１の閾値以上である場合に前記モータの駆動状態が規定外であると判定する、請求項１又は２に記載の釣り情報表示装置。
【請求項４】
前記モータ駆動情報は、前記モータの温度を含み、
前記判定部は、前記モータの温度が第２の閾値未満である場合に前記モータの駆動状態が規定内であると判定し、前記モータの温度が前記第２の閾値以上である場合に前記モータの駆動状態が規定外であると判定する、請求項１又は２に記載の釣り情報表示装置。
【請求項５】
前記表示制御部は、前記モータ駆動情報の経時変化を前記表示部にグラフ表示させる、請求項１から４のいずれかに記載の釣り情報表示装置。
【発明の詳細な説明】
【技術分野】
【０００１】
本発明は、釣り情報表示装置に関するものである。
【背景技術】
【０００２】
一般的に電動リールは、リール本体と、リール本体に回転自在に支持されたスプールと、スプールを手動で回転させるためのハンドルと、スプールを巻き上げ方向に回転駆動する電動のモータと、過負荷によるモータの焼損を防止するための電子ブレーカを備えている（特許文献１参照）。この電動リールは、例えば１００ｍ以上の水深を回遊する魚を船上から釣るときなどに使用される。また、この種の電動リールには釣り情報表示装置が接続されることがある（特許文献２参照）。
【先行技術文献】
【特許文献】
【０００３】
【特許文献１】特開２０００−３５４４４３号公報
【特許文献２】特開２００４−１７３６７６号公報
【発明の概要】
【発明が解決しようとする課題】
【０００４】
上述したような電動リールには、モータに大きな電流が長時間流れ続けることによって、モータ、モータの駆動回路、又はモータ駆動素子が過熱してモータを損傷させることを防止するため、いわゆる電子ブレーカと、ブレーカの作動を予告する表示手段とが備わっている。しかし、特許文献２のような釣り情報表示装置を用いる場合、釣り人は釣り情報表示装置の魚群等の情報に注意が向いてしまい、電動リールに表示されるブレーカ作動予告に気が付かない可能性がある。
【０００５】
本発明の課題は、釣り情報表示装置を使用しても、釣り人が電動リールのモータにかかる負荷を把握し、電動リールを適切に操作できるようにすることにある。
【課題を解決するための手段】
【０００６】
（１）本発明のある側面に係る釣り情報表示装置は、モータによって釣糸を巻き上げる電動リールにおけるモータの駆動状態を示すモータ駆動情報を表示する表示部を有する釣り情報表示装置であって、取得部、表示制御部、判定部、及び通知部を備える。取得部は、電動リールから出力されるモータ駆動情報を取得する。表示制御部は、取得部によって取得するモータ駆動情報を表示部に表示させる。判定部は、モータ駆動情報に基づき、モータの駆動状態が規定内か否かを判定する。通知部は、判定部においてモータの駆動状態が規定外であると判定された場合にモータの駆動状態が規定外であることを通知する。
【０００７】
この構成に係る釣り情報表示装置によれば、取得部によって取得するモータ駆動情報を表示制御部が表示部に表示させる。このため、釣り人は釣り情報表示装置の表示部を見ることによって電動リールのモータの駆動状態を確認することができる。すなわち、電動リールのモータに掛かる負荷を把握することができる。また、判定部によってモータの駆動状態が規定外であると判定されると、通知部がその旨を釣り人に通知する。このため、モータの駆動状態が規定外になったときに釣り人はその旨を知ることができる。したがって、釣り人は、ブレーカが作動する前にモータの駆動状態が規定内となるように電動リールを適切に操作することができる。
【０００８】
（２）好ましくは、モータ駆動情報は、モータに流れる電流値、及びモータの温度の少なくとも一方を含む。この構成によれば、釣り人は、モータに流れる電流値、及びモータの温度の少なくとも一方を確認することができる。また、釣り人は、モータに流れる電流値及びモータの温度の少なくとも一方が規定外であることを知ることができる。したがって、釣り人は、ブレーカが作動する前にモータの駆動状態が規定内となるように電動リールを適切に操作することができる。
【０００９】
（３）好ましくは、モータ駆動情報はモータに流れる電流値を含む。そして、判定部は、モータに流れる電流値が第１の閾値未満である場合に、モータの駆動状態が規定内であると判定する。また、判定部は、モータに流れる電流値が第１の閾値以上である場合に、モータの駆動状態が規定外であると判定する。
【００１０】
この構成によれば、予め設定した第１の閾値以上の電流がモータに流れると、判定部がモータの駆動状態が規定外であると判定し、通知部がその旨を通知する。このため、釣り人が電動リールを操作することによって、モータに第１の閾値以上の電流が流れ続けることを防止することができる。なお、この第１の閾値は、釣り情報表示装置の設計時に予め設定されていてもよいし、釣り人が使用時に変更可能であってもよい。
【００１１】
（４）好ましくは、モータ駆動情報はモータの温度を含む。そして、判定部は、モータの温度が第２の閾値未満である場合に、モータの駆動状態が規定内であると判定する。また、判定部は、モータの温度が第２の閾値以上である場合に、モータの駆動状態が規定外であると判定する。
【００１２】
この構成によれば、モータの温度が予め設定した第２の閾値以上となると、判定部がモータの駆動状態が規定外であると判定し、通知部がその旨を通知する。このため、釣り人が電動リールを操作することによって、モータの温度が第２の閾値以上となり続けることを防ぐことができる。なお、この第２の閾値は、釣り情報表示装置の設計時に予め設定されていてもよいし、釣り人が使用時に変更可能であってもよい。
【００１３】
（５）好ましくは、表示制御部は、モータ駆動情報の経時変化を表示部にグラフ表示させる。この構成によれば、釣り人は、モータの駆動状態の経時変化を視覚的に把握し、モータの駆動情報を予測することができる。
【発明の効果】
【００１４】
本発明によれば、電動リールのモータが損傷することを防止することができる。
【図面の簡単な説明】
【００１５】
【図１】電動リールと釣り情報表示装置とを示す斜視図。
【図２】釣り情報表示システムのハードウェア構成を示すブロック図。
【図３】釣り情報表示装置の正面図。
【図４】釣り情報表示装置における制御部の制御を説明するためのフローチャート。
【図５】初期設定処理の詳細を説明するためのフローチャート。
【図６】、船名設定画面を表示させたときの表示部を示す図。
【図７】リール名設定画面を表示させたときの表示部を示す図。
【図８】表示処理の詳細を説明するためのフローチャート。
【図９】バックライト表示処理の詳細を説明するためのフローチャート。
【図１０】メニュー画面を表示させたときの表示部を示す図。
【図１１】メニュー画面を表示させたときの表示部を示す図。
【図１２】魚探画面を表示させたときの表示部を示す図。
【図１３】魚探画面においてモータ駆動情報を表示させたときの表示部を示す図。
【図１４】モータ駆動情報の表示処理に関する制御部の機能ブロック図。
【図１５】モータ駆動情報の表示処理の詳細を説明するためのフローチャート。
【図１６】ボトムライン表示処理の詳細を説明するためのフローチャート。
【図１７】魚探画面においてボトムラインを表示させたときの表示部を示す図。
【発明を実施するための形態】
【００１６】
以下、本発明に係る釣り情報表示装置、及びこれを用いた釣り情報表示システムの実施形態について図面を参照しつつ説明する。
【００１７】
図１は電動リール及び釣り情報表示装置を示す斜視図であり、図２は釣り情報表示システムのハードウェア構成を示すブロック図である。図１及び図２に示すように、釣り情報表示システムは、電動リール１、釣り情報表示装置４、及び魚群探知機６（図２参照）を備える。電動リール１、釣り情報表示装置４、及び魚群探知機６は、相互に各種データを送受信可能である。
【００１８】
図１に示すように、電動リール１は釣竿Ｒに固定される。なお、釣竿Ｒは、たとえば、竿受けＲＫにより釣り船の船縁ＦＢに装着される。電動リール１は、ハンドル１１、リール本体１２、スプール１３、及びモータ１４を備える。ハンドル１１は、リール本体１２に装着される。スプール１３は、リール本体１２に回転自在に装着され、内部にモータ１４が装着される。
【００１９】
リール本体１２は、フレーム１２ａ、及び側カバー１２ｂ、１２ｃを有する。側カバー１２ｂ、１２ｃは、フレーム１２ａの両側方を覆う。フレーム１２ａは、図１に示すように、アルミニウム合金ダイカストの一体成形された部材である。フレーム１２ａは、左右１対の側板１２ｄ、１２ｅ、及び連結部材１２ｆを有する。連結部材１２ｆは、側板１２ｄ、１２ｅを複数箇所で連結する。下部の連結部材１８には、釣り竿を装着するための竿装着脚１２ｇが装着される。
【００２０】
側カバー１２ｂは、外部に設けられた蓄電池等の電源と接続するための電源ケーブル用のコネクタ部１２ｈを有する。コネクタ部１２ｈは、側カバー１２ｂの前部において、斜めに突出して設けられる。このコネクタ部１２ｈに接続される電源ケーブル１５には、後述する無線通信用のアンテナが設けられる。なお、電動リール１は、直流１２Ｖ（ボルト）、１６．８Ｖ、２４Ｖの３種類の電圧の電源に対応可能である。
【００２１】
リール本体１２のハンドル１１側の前側側面には、調整レバー１６が揺動可能に設けられる。調整レバー１６を揺動させることによって、スプール１３の巻き上げ速度を複数段階（例えば３１段階）に調節可能であるとともに、スプール１３に巻き付けられた釣り糸の張力を複数段階（例えば３１段階）に調節可能である。調整レバー１６の揺動軸には、調整レバー１６の揺動角度を検出するためのポテンショメータ１７が取り付けられる。また、リール本体１２の後側部には、クラッチをオン、オフ操作するためのクラッチ操作レバー１８が揺動可能に装着される。リール本体１２の上部には、水深表示等を行うためのカウンタ１９が装着される。
【００２２】
カウンタ１９は、釣り糸の先端に装着される仕掛けの水深を表示するとともに、モータ１４を制御するために設けられる。カウンタ１９は、表示部１９ａ、及び操作キー部１９ｂを有する。表示部１９ａは、液晶ディスプレイによって構成される。表示部１９ａは、仕掛けの水深データ及び棚位置を、水面からと底からとの２つの基準で表示する。操作キー部１９ｂは、表示部１９ａの下側に左右に並べて配置される、例えば３つのスイッチボタンから構成される。
【００２３】
表示部１９ａは、バックライトを有するセグメント式の液晶ディスプレイを用いる。バックライトは、いずれも図示しないが、赤と緑の二色を発光可能な発光ダイオードと、発光ダイオードが一側に配置された導光板とを有する。このような導光板を設けることにより液晶ディスプレイ全面を光らせることができる。
【００２４】
操作キー部１９ｂを構成する３つのボタンは、例えば、メニューボタン、決定ボタン、及び棚メモボタンを例示することができる。メニューボタンは、表示部１９ａ内の表示項目を選択するために使用されるボタンである。たとえば、メニューボタンを操作する毎に、上からモード（仕掛けの水深を水面からの深さで表示するモード）と、底からモード（仕掛けの水深を水底からの水深で表示するモード）とに切り換える。
【００２５】
また、メニューボタンを３秒以上長押しすると、長押しの都度、モータの制御モードを速度モードと張力モードとに切り換えできる。ここで、速度モードは、調整レバー１６の揺動角度に応じてスプール１３の回転速度の上限速度を３１段階に多段速度制御可能なモードである。張力モードは、釣り糸に作用する張力の上限張力を３１段階に多段張力制御可能なモードである。なお、両モードとも、最高段階の３１段階は、１００％デューティでモータ１４を動作させる速巻速度であり、電流制限は行うが、速度制御は行わない。なお、これらの速度モードと張力モードとの切り換えは、後述する釣り情報表示装置４の操作キー部４２の所定の操作により行うことができる。
【００２６】
決定ボタンは、選択結果を確定して設定するボタンである。また、決定ボタンをたとえば３秒以上長押しすると、そのときの水深データが水深０の基準位置としてセットされる０セット処理を行うことができる。棚メモボタンは、操作したときの仕掛けの水深を棚位置として設定するためのボタンである。以降はセットされた基準位置からの糸長で水深データが表示される。なお、釣人は通常、仕掛けが海面に着水したときに決定ボタンを長押しして０セットする。
【００２７】
図２に示すように、カウンタ１９の内部には、表示部１９ａの水深表示制御、及びモータ１４の駆動制御等を行うためのリール制御部２０が設けられる。リール制御部２０は、マイクロコンピュータ及び液晶駆動回路から構成される。マイクロコンピュータは、ＣＰＵ、ＲＡＭ、ＲＯＭ、Ｉ／Ｏインターフェイス等を含む。
【００２８】
リール制御部２０には、操作キー部１９ｂの３つのボタン、スプールセンサ２１、スプールカウンタ２２、及びポテンショメータ１７が接続される。スプールセンサ２１は、スプール１３の回転位置及び方向を検出するためのセンサであり、たとえば回転方向に並べて配置された２つのホール素子で検出する。スプールカウンタ２２は、スプールセンサ２１からの所定パルス毎に値が変化する。ポテンショメータ１７は、調整レバー１６に連結される。
【００２９】
また、リール制御部２０には、ブザー２３、表示部１９ａ、記憶部２４、ＰＷＭ駆動回路２５、及び他の入出力部が接続される。ブザー２３は、各種の警報を出力する。表示部１９ａは各種の表示を行う。記憶部２４は、各種のデータを記憶する。ＰＷＭ駆動回路２５は、モータ１４をＰＷＭ駆動するＦＥＴを含む。
【００３０】
さらに、リール制御部２０には、電流値検出センサ２６、温度センサ２７、及び無線通信部２８が接続される。電流値検出センサ２６は、モータ１４に供給される電流値を検出する。具体的には、電流値検出センサ２６は、ＰＷＭ駆動回路２５に用いられるモータ駆動素子であるＦＥＴの両端の分圧を検出することで、モータ１４に供給される電流値を検出する。なお、電流値検出機能付のＦＥＴを用いる場合には、電流値検出センサ２６を省略することができる。温度センサ２７は、モータ１４の温度を検出する。具体的には、温度センサ２７は、上述したＰＷＭ駆動回路２５に用いられるＦＥＴの温度を検出することによって、モータ１４の温度を間接的に検出する。なお、電流値検出センサ２６と温度センサ２７とは、リール制御部２０とともにカウンタ１９内に配置される。
【００３１】
電動リール１の無線通信部２８は、釣り情報表示装置４と情報をやり取りする。無線通信部２８は、リールの外部に設けられた釣り情報表示装置４と仕掛けの水深データ等を無線（たとえば、ＩＥＥＥ８０２．１５．４（ＺｉｇＢｅｅ（登録商標）等の規格）でやり取りするためのものであり、釣り情報表示装置４の無線通信部４７に無線で接続される。無線通信部２８は、たとえば通信用の配線がなされたリール用の電源ケーブルに、アンテナを含む無線モジュールとして別途取り付けられる。このような無線モジュールを用いることで、無線機能を有していない従来の電動リールに無線機能を簡単に付加することができる。
【００３２】
リール制御部２０は、スプールカウンタ２２から計数値が出力されると、その計数値をもとに記憶部２４に格納された複数の釣り糸のマップデータの中から適切なマップデータを選択する。そして、リール制御部２０は、選択されたマップデータに基づいて仕掛けの水深データを算出し、算出された水深データを表示部１９ａに表示させる。また、リール制御部２０は、仕掛けの水深データを含む各種の情報を無線通信部２８を介して釣り情報表示装置４の無線通信部４７に出力する。なお、電動リール１の無線通信部２８や、釣り情報表示装置４の無線通信部４７は、図示しない他の無線端末と接続可能であって、この無線端末によって、電動リール１や釣り情報表示装置４内部のソフトウェアを書き換え可能である。
【００３３】
また、リール制御部２０は、モータ１４の駆動状態を示すモータ駆動情報を、無線通信部２８を介して釣り情報表示装置４の無線通信部４７に出力する。なお、モータ駆動情報は、電流値検出センサ２６によって検出される電流値と、温度センサ２７によって検出される温度とを含むデータである。
【００３４】
図１及び図２に示すように、釣り情報表示装置４は、魚群探知機６から得られる漁場の底の水深、及び魚群の位置を示す棚位置をエコー表示可能である。また、釣り情報表示装置４は、電動リール１から得られる仕掛けの水深データを、エコー表示された底の水深や棚位置とともに水深に応じた位置に図形により表示することができる。さらには、釣り情報表示装置４は、電動リール１から取得するモータ駆動情報を表示可能である。
【００３５】
釣り情報表示装置４は、棚停止のオンオフ及び棚位置の設定、さそいモードのオン、オフ及びさそい幅の設定、オートさそいのオン、オフ、モータの糸繰り出し方向の回転により釣り糸を繰り出す糸送りのオン、オフ、又はアタリ検知のオン、オフ等の、電動リール１に関する設定操作を行うことができる。なお、釣り情報表示装置４は、電動リール１と接続しないで単独使用することもできる。この場合は、釣り情報表示装置４は、魚群探知機６からの棚位置や底位置を表示する魚群探知機６の遠隔モニタとして機能する。
【００３６】
また、釣り情報表示装置４は、１６色のカラー表示が可能であり、このため、魚群探知機６には、カラー情報を送信するための図示しない無線通信部であるカラーアンテナが別途装着される。また、魚群探知機６の無線通信部と、釣り情報表示装置４の無線通信部４７とは、１対１で無線通信が確立されており、このため他の魚群探知機や釣り情報表示装置と混信することがなくなる。また、魚群探知機６の無線通信部も、外部から図示しない他の無線端末と接続可能であって、この無線端末によって、魚群探知機６内部のソフトウェアを書き換え可能である。
【００３７】
図３は、釣り情報表示装置の正面図である。図３に示すように、釣り情報表示装置４は、ケース４０、表示部４１、操作キー部４２、及び光センサ４３を備える。表示部４１は、液晶ディスプレイ４１ａ及びバックライト４１ｂを有し、ケース４０に装着される。操作キー部４２は、ケース４０から露出して表示部４１の右側に上下に配置された３つのボタン４２１〜４２３を有する。光センサ４３は、操作キー部４２の上部に配置され、周囲光の明るさを検出する。
【００３８】
ケース４０は、四辺が円形に丸められたボックス状のケースである。ケース４０の両側面には、図示しないねじ孔を有する取付部が設けられ、この取付部に取付ブラケット１００（図１参照）が図示しないねじ部材により装着される。ケース４０の背面には、電池収納部４４、及びコンセント部４５が設けられる。電池収納部４４は、複数（例えば６個）の単３乾電池を上下に並べて取り付け可能である。コンセント部４５は、背面視において電池収納部４４の右側（図３では左側）に位置する。また、コンセント部４５は、ねじ込み式であって、電動リール１に使用する蓄電池に連結されるコードのコネクタ部に接続可能である。この釣り情報表示装置４では、内部電池である複数の単３乾電池と外部電源である蓄電池との両電源が使用可能であって、電池収納部４４とコンセント部４５とは排他利用となっている。外部電源である蓄電池は、図示しないＹ型（２又）のコードによって、電動リール１のコネクタ部１２ｈと、釣り情報表示装置４のコンセント部４５と同時に接続可能である。
【００３９】
表示部４１は、たとえば、縦３２０ドット、横２４０ドットのカラー１６色のドットマトリックス方式の液晶ディスプレイ４１ａを使用する。液晶ディスプレイ４１ａの背面には、導光板方式のバックライト４１ｂが配置されており、光センサ４３によって検出される周囲光の明るさに応じて輝度が変更される。具体的には、光センサ４３によって検出される周囲光の明るさに対応する輝度の設定テーブルを読み出すことにより、最適な輝度となるように、バックライト４１ｂの照射量を変更する。たとえば、光センサ４３によって検出される周囲光の明るさが明るいほど、バックライト４１ｂの照射量を多くする輝度変更制御を行う。ここでは、周囲光の明るさが明るいときバックライト４１ｂの照射量を多くし、周囲光の明るさが暗いときバックライト４１ｂの照射量を少なくすることによって、液晶ディスプレイ４１ａの視認性が向上する。なお、釣り情報表示装置４が内部電池によって駆動されているときのバックライト４１ｂの照射量は、釣り情報表示装置４が外部電源によって駆動されているときのバックライト４１ｂの照射量の７０％になっており、内部電池である乾電池駆動の場合の消費電力が抑えられる。
【００４０】
図１に示すように、釣り情報表示装置４は、ケース４０の内部に、制御部４６を有する。制御部４６は、マイクロコンピュータ、液晶駆動回路、及びバックライト制御回路を含む。マイクロコンピュータは、表示制御及びさそい制御を行うＣＰＵ、ＲＡＭ、ＲＯＭ、Ｉ／Ｏインターフェイス等を含む。この報表示制御部４６のＣＰＵが、本発明の取得部、判定部、表示制御部、及び通知部として機能する。なお、本実施形態において、取得部、判定部、表示制御部、及び通知部はソフトウェアにより構成されるが、ハードウェア回路により構成されてもよい。
【００４１】
制御部４６には、無線通信部４７、操作キー部４２、光センサ４３、表示部４１、記憶部４８、及び音声出力部４９が接続される。無線通信部４７は、魚群探知機６及び電動リール１と情報をやり取りする。記憶部４８は、各種のデータを記憶する。音声出力部４９はスピーカを有し音声を出力する。
【００４２】
制御部４６は、電動リール１から仕掛けの水深データが得られると、それを図形で表示部４１に表示する。また、制御部４６は、魚群探知機６から、漁場の底位置のエコーデータ、底位置の数値データ、及び棚位置のエコーデータを取得すると、これらデータを表示部４１に仕掛けの水深データとともに表示する。
【００４３】
操作キー部４２は、図３に示すように、画面切換ボタン４２１、カーソルボタン４２２、及び電源ボタン４２３を有する。これら各ボタンは、表示部４１の右側において、上下に並べて配置される。
【００４４】
画面切換ボタン４２１は、表示部４１の表示をメニュー表示と魚探表示とに切り換えるボタンである。カーソルボタン４２２は、釣り情報表示装置４及び電動リール１の各種の設定を行うメニュー処理において上下左右にカーソルを移動させるためのボタンである。カーソルボタン４２２は、上下左右方向にそれぞれ、上ボタン４２２ａ、下ボタン４２２ｂ、左ボタン４２２ｃ、右ボタン４２２ｄが割り当てられる。また、カーソルボタン４２２の中央を押すと、各種の設定の際に選択された項目を決定する。電源ボタン４２３は、釣り情報表示装置４の電源をオン、オフするためのボタンである。
【００４５】
光センサ４３は、操作キー部４２の上部に配置された矩形の窓部から外部を臨むように取り付けられたセンサである。光センサ４３は、制御部４６が光電効果によって発生した電流を光量に換算する演算を行うことにより周囲光の明るさを検出する。ここでは、制御部４６は、光センサ４３によって検出された周囲光の明るさに対応する輝度の設定テーブルを記憶部４８から読み出すことにより、バックライト４１ｂの輝度を自動的に変更する。
【００４６】
次に、制御部４６の具体的な制御内容について説明する。
【００４７】
図４は、釣り情報表示装置４における制御部４６の制御を説明するためのフローチャートである。図４に示すように、釣り情報表示装置４に乾電池または蓄電池が接続され電源ボタン４２３が押されると、制御部４６は、初期設定処理を実行する（ステップＳ１）。
【００４８】
図５は、初期設定処理の詳細を説明するためのフローチャートである。図５に示すように、制御部４６は、魚群探知機の設定処理を実行する（ステップＳ１０１）。具体的には、魚群探知機６を搭載する船名を魚群探知機６の無線通信部が送信し、その船名を釣り情報表示装置４の無線通信部４７が自動受信する。そして、制御部４６は、その自動受信した船名を表示部４１に表示する。なお、魚群探知機６を搭載する船名を無線通信部４７が複数受信した場合、制御部４６はこれら複数の船名を表示部４１に表示する。
【００４９】
図６は、船名設定画面を表示させたときの表示画面を示す図である。図６に示すように、例えば、制御部４６は、表示部４１の画面左上に、船名・リール設定項目７４（「船名」が選択状態）を表示する。また、制御部４６は、表示部４１の船名・リール設定項目７４の右側に、船名に対応する番号表示７５（番号「１」が選択状態）を表示する。さらに、制御部４６は、表示部４１の船名・リール設定項目７４及び船名に対応する番号表示７５の下側に、具体的に接続（選択）可能な船名の名称表示７６（「ＯＯＯＯ丸」）を表示する。複数の魚群探知機がある場合には、制御部４６は、船名に対応する番号表示７５の番号を「１」、「２」、「３」のように複数表示する。制御部４６は、選択された番号表示７５の番号と対応する船名の名称表示７６（「ＯＯＯＯ丸」、「ＸＸＸＸ丸」、「ＯＯＸＸ丸」）を表示部４１に表示するため、釣り人は操作キー部４２の操作によって無線接続したい魚群探知機６を選択設定する。なお、制御部４６は、ここで選択設定された魚群探知機６の船名の名称表示７６（「ＯＯＯＯ丸」）等の情報を、釣り情報表示装置４の記憶部４８に記憶し、次回の魚探設定のときに前回接続した魚群探知機６の船名の名称表示７６（「ＯＯＯＯ丸」）を優先的（番号「１」）に表示する。
【００５０】
次に、図５に示すように、制御部４６は、電動リール１が釣り情報表示装置４に有線接続されているか否かを判断する（ステップＳ１０２）。制御部４６は、電動リール１が釣り情報表示装置４に有線接続されていると判断した場合（ステップＳ１０２のＹｅｓ）、後述するその他の設定処理を実行する（ステップＳ１０４）。
【００５１】
制御部４６は、電動リール１が釣り情報表示装置４に有線接続されていない、すなわち、電動リール１が釣り情報表示装置４に無線接続されていると判断した場合（ステップＳ１０２のＮｏ）、リール設定処理を実行する（Ｓ１０３）。具体的には、電動リール１の無線通信部２８が電動リール１の固有のＩＤである機種名を送信し、釣り情報表示装置４の無線通信部４７がその機種名（ＩＤ）を自動受信する。そして、制御部４６は、その自動受信した機種名（ＩＤ）を表示部４１に表示する。なお、複数の電動リールの機種名（ＩＤ）を無線通信部４７が受信した場合、制御部４６は複数の電動リールの機種名（ＩＤ）を表示部４１に表示する。
【００５２】
図７は、リール名設定画面を表示させたときの表示画面を示す図である。図７に示すように、制御部４６は、表示部４１の画面左上に、船名・リール設定項目７４（「リール」が選択状態）を表示する。また、制御部４６は、表示部４１の船名・リール設定項目７４の右側に、リールに対応する番号表示７５（番号「１」が選択状態）を表示する。さらに、制御部４６は、表示部４１の船名・リール設定項目７４及びリールに対応する番号表示７５の下側に、具体的に接続（選択）可能なリールの機種名（ＩＤ）表示７６（「ＦＥ１００００」）を表示する。複数の電動リールがある場合には、制御部４６は、リールに対応する番号表示７５の番号を「１」、「２」、「３」のように複数表示する。制御部４６は、選択された番号表示７５の番号と対応するリールの機種名（ＩＤ）表示７６（「ＦＥ１００００」、「ＦＥ１０００１」、「ＦＥ１０００２」）を表示部４１に表示するため、釣り人は、操作キー部４２の操作によって無線接続したい電動リール１を選択設定する。なお、制御部４６は、ここで選択設定された電動リール１の機種名（ＩＤ）の名称表示７６（「ＦＥ１００００」）等の情報を、釣り情報表示装置４の記憶部４８に記憶し、次回のリール設定のときに前回接続した電動リール１の機種名（ＩＤ）の名称表示７６（「ＦＥ１００００」）を優先的（番号「１」）に表示する。ここでは、ステップＳ１０３において電動リール１が設定されると、制御部４６は、その他の設定処理を実行する（ステップＳ１０４）。具体的には、制御部４６は、後述する表示処理（ステップＳ８）において、表示モードがオープニング画面を表示するように設定する。また、制御部４６は、仕掛けの水深データＤ１の補正計数Ｋを１にセットする。
【００５３】
次に、図４に示すように、制御部４６は、魚群探知機６からの魚探データ（具体的には、釣り場の海底の水深及び棚位置のエコーデータＤ２、Ｄ３）を無線通信部４７が受信しているか否かを判断する（ステップＳ２）。制御部４６は、無線通信部４７が魚探データを受信していない場合（ステップＳ２のＮｏ）は、無線通信部４７が魚群データを受信するまで待機する。無線通信部４７が魚探データを受信している場合（ステップＳ２のＹｅｓ）は、制御部４６は、受信した魚探データＤ２、Ｄ３を取り込み、記憶部４８に格納する（ステップＳ３）。
【００５４】
次に、制御部４６は、電動リール１が接続されているか否かを判断する（ステップＳ４）。制御部４６は、電動リール１が接続されていないと判断した場合（ステップＳ４のＮｏ）、電動リール１が接続されていないことを示すフラグＮＣをオンする（ステップＳ５）。
【００５５】
制御部４６は、電動リール１が接続されていると判断した場合（ステップＳ４のＹｅｓ）、フラグＮＣをオフする（ステップＳ６）。そして、制御部４６は、電動リール１の無線通信部２８から送信される仕掛けの水深データＤ１、及びモータ駆動情報（モータに流れる電流値及びモータの温度）を無線通信部４７を介して取得する（ステップＳ７）。
【００５６】
次に、制御部４６は、表示処理を実行する（ステップＳ８）。この表示処理では、オープニング画面に加えて、電動リール１から得られた各種データ及び魚群探知機６からの魚探データを表示する魚探画面と、各種の設定を行うメニュー画面とに切り換わる。
【００５７】
図８は、表示処理の詳細を説明するためのフローチャートである。図８に示すように、制御部４６は、まずは、バックライト表示処理を行う（ステップＳ２１）。ここで、バックライト表示処理について図９を参照しつつ詳細を説明する。図９は、バックライト表示処理の詳細を説明するためのフローチャートである。
【００５８】
図９に示すように、制御部４６は、釣り情報表示装置４の電源が、蓄電池等の外部電源か否か判断する（ステップＳ４１）。制御部４６は、釣り情報表示装置４の電源が外部電源ではない、すなわち、乾電池等の内部電源であると判断すると（ステップＳ４１のＮｏ）、次に、光センサ４３により検出された光量が１５ルクス以上であるか否か判断する（ステップＳ４２）。
【００５９】
制御部４６は、光センサ４３により検出された光量が１５ルクス未満であると判断する（ステップＳ４２のＮｏ）と、バックライト４１ｂの輝度が最大輝度の５０％になるように設定する（ステップＳ４４）。また、制御部４６は、光センサ４３により検出された光量が１５ルクス以上であると判断すると（ステップＳ４２のＹｅｓ）、バックライト４１ｂの輝度が最大輝度の７０％になるように設定する（ステップＳ４５）。そして、制御部４６は、設定された輝度になるようにバックライト４１ｂを制御する。
【００６０】
制御部４６は、釣り情報表示装置４の電源が蓄電池等の外部電源であると判断すると（ステップＳ４１のＹｅｓ）、次に、光センサ４３により検出された光量が１５ルクス以上であるか否か判断する（ステップＳ４３）。
【００６１】
制御部４６は、光センサ４３により検出された光量が１５ルクス未満であると判断すると（ステップＳ４３のＮｏ）、バックライト４１ｂの輝度が最大輝度の７０％になるように設定する（ステップＳ４６）。また、制御部４６は、光センサ４３により検出された光量が１５ルクス以上であると判断すると（ステップＳ４３のＹｅｓ）、バックライト４１ｂの輝度が最大輝度である１００％になるように設定する（ステップＳ４７）。そして、制御部４６は、設定された輝度になるようにバックライト４１ｂを制御する。
【００６２】
バックライト表示処理が完了すると、次に、制御部４６は、図８に示すように、オープニング画面が設定されているか否かを判断する（ステップＳ２２）。制御部４６は、オープニング画面が設定されていないと判断した場合（ステップＳ２２のＮｏ）、後述するステップＳ２４の処理を実行する。また、制御部４６は、オープニング画面が設定されていると判断した場合には（ステップＳ２２のＹｅｓ）、オープニング画面を所定時間だけ表示する（ステップＳ２３）。なお、制御部４６は、釣り情報表示装置４の電源が投入されるとオープニング画面を一度だけ表示する。
【００６３】
次に、制御部４６は、釣り人がメニュー画面を選択したか否かを画面切換ボタン４２１からの入力情報によって判断する（ステップＳ２４）。制御部４６は、メニュー画面が選択されていないと判断した場合（ステップＳ２４のＮｏ）、後述するステップＳ２７の処理を実行する。また、制御部４６は、メニュー画面が選択されたと判断した場合（ステップＳ２４のＹｅｓ）、図１０に示すようなメニュー画面を表示部４１に表示する（ステップＳ２５）。具体的には、制御部４６は、画面の左上に魚群探知機６から出力される電波の受信状態をアンテナマーク７１で表示する。また、制御部４６は、アンテナマーク７１の右側に現在時刻を表す時計表示７２をデジタル数字で表示する。さらに、制御部４６は、画面の右上に、乾電池等の内部電源の残量表示を電池マーク７３で表示する。電池マーク７３は、乾電池等の内部電源の残量が最大であるときには３個の矩形部が塗りつぶされて表示され、残量が減少するにつれて２個の矩形部、１個の矩形部、０個の矩形部のように塗りつぶされている部分が減少する。なお、上述したアンテナマーク７１、時計表示７２、及び電池マーク７３は、全ての表示モードで表示される。
【００６４】
制御部４６は、アンテナマーク７１及び時計表示７２の下に、釣り情報表示装置４の各種のモードの設定項目７７（具体的には、さそい、さそい幅、モータ駆動情報、位置補正、ボトムライン、背景色及びシカケ軌跡）及びその設定内容７８（ＯＦＦ、ＯＮ）を階層的に表示する。また、制御部４６は、図１１に示すように、電動リール１の各種のモードの設定項目７７（具体的には、棚停止、オートさそい、糸送り、上底切替、仕掛回収、巻上回数、巻上時間、時計、デモ画面）及びその設定内容７８（ＯＦＦ、ＯＮ）を階層的に表示する。釣り人が、このメニュー画面においてカーソルボタン４２２によって操作を行うと、制御部４６は、図８に示すように、カーソルボタン４２２から入力された情報に基づき、各種のモードの設定項目７７の設定内容７８を決定する（ステップＳ２６）。なお、電動リール１の設定内容が電動リール１側で設定された場合には、釣り情報表示装置４は、無線通信部４７でそのデータを電動リール１から受信し、制御部４６がその内容をメニュー画面の設定内容に反映させる。
【００６５】
次に、制御部４６は、図８に示すように、フラグＮＣにより電動リール１が接続されているか否かを判断する（ステップＳ２７）。制御部４６は、電動リール１が接続されている、すなわちフラグＮＣがオフであると判断した場合（ステップＳ２７のＮｏ）、図１２に示すような魚探画面を表示する（ステップＳ２８）。具体的には、制御部４６は、画面の右端に水深のスケールＳＣを表示するとともに、スケールＳＣの右横に、電動リール１から得られた仕掛けの水深データＤ１に補正係数Ｋを乗算した値（Ｋ×Ｄ１）を表示する。なお、この実施形態では、補正前は補正係数が１にセットされているので補正前の水深データを表示していることになるが、補正を行う前は仕掛けの水深データＤをそのまま表示し、補正を行った後は補正された水深データＫ×Ｄ１を表示するようにしてもよい。
【００６６】
また、制御部４６は、魚群探知機６から受信した海底の水深データＤ２及び棚位置の水深データＤ３をエコーデータの画像でスケールＳＣの左側の水深に応じた位置に時系列的に表示する。さらに、制御部４６は、海底の水深データＤ２の数値Ｄ２ｎを画面左下に表示するとともに、画面の左上に水深データＤ１の数値Ｄ１ｎも表示する。また、制御部４６は、棚タイマー（棚位置を自動設定するために設定される仕掛けの静止時間）の値も数値Ｄ１ｎの下に表示する。また、制御部４６は、メニュー画面と同様に魚群探知機６からの電波のアンテナマーク７１を画面の左上部に表示する（ステップＳ２９）。
【００６７】
次に、制御部４６は、図８に示すように、仕掛けの軌跡の表示設定がオンになっているか否かを判断する（ステップＳ３０）。なお、図１０に示すメニュー画面において、釣り人が「シカケ軌跡」を「ＯＮ」に設定したときには、制御部４６は、カーソルボタン４２２からその入力情報を取得し、仕掛けの軌跡の表示設定がオンになっていると判断する。また、釣り人が「シカケ軌跡」を「ＯＦＦ」に設定したときには、制御部４６は、カーソルボタン４２２からその入力情報を取得し、仕掛けの軌跡の表示設定がオフになっていると判断する。
【００６８】
制御部４６は、仕掛けの軌跡の表示設定がオフになっていると判断した場合（ステップＳ３０のＮｏ）、後述するステップＳ３２の処理を実行する。また、制御部４６は、仕掛けの軌跡の表示設定がオンになっていると判断した場合（ステップＳ３０のＹｅｓ）、仕掛けの水深データＤ１の時系列的な変化である仕掛けの軌跡をドット表示する（ステップＳ３１）。
【００６９】
次に、制御部４６は、さそい幅の表示設定がオンになっているか否か判断する（ステップＳ３２）。なお、図１０のメニュー画面において、釣り人が「さそい幅」を「ＯＮ」に設定したときには、制御部４６は、カーソルボタン４２２からその入力情報を取得し、さそい幅の表示設定がオンになっていると判断する。また、釣り人が「さそい幅」を「ＯＦＦ」に設定したときには、制御部４６は、カーソルボタン４２２からその入力情報を取得し、さそい幅の表示設定がオフになっていると判断する。
【００７０】
制御部４６は、さそい幅の表示設定がオフになっていると判断した場合(ステップＳ３２のＮｏ)、後述するステップＳ３４の処理を実行する。また、制御部４６は、さそい幅の表示設定がオンになっていると判断した場合（ステップＳ３２のＹｅｓ）、さそいモードのさそい幅をスケールＳＣの右側にハッチングで示すように表示する（ステップＳ３３）。
【００７１】
次に、制御部４６は、モータ駆動情報の表示設定がオンになっているか否か判断する（ステップＳ３４）。なお、図１０のメニュー画面において、釣り人が「モータ駆動情報」を「ＯＮ」に設定したときには、制御部４６は、カーソルボタン４２２からその入力情報を取得し、モータ駆動情報の表示設定がオンになっていると判断する。また、釣り人が「モータ駆動情報」を「ＯＦＦ」に設定したときには、制御部４６は、カーソルボタン４２２からその入力情報を取得し、モータ駆動情報の表示設定がオフになっていると判断する。制御部４６は、モータ駆動情報の表示設定がオフになっていると判断した場合（ステップＳ３４のＮｏ）、後述するステップＳ３８を実行する。
【００７２】
制御部４６は、モータ駆動情報の表示設定がＯＮになっていると判断した場合（ステップＳ３４のＹｅｓ）、図１３に示すように、魚探画面を表示する表示部４１の下部にモータ駆動情報７９をさらに表示する（ステップＳ３５）。以下、モータ駆動情報の表示処理について具体的に説明する。
【００７３】
図１４はモータ駆動情報の表示処理に関する制御部４６の機能ブロック図であり、図１５はモータ駆動情報の表示処理の詳細を説明するためのフローチャートである。図１４に示すように、釣り情報表示装置４は、取得部４６１、表示制御部４６２、判定部４６３、及び通知部４６４を備える。なお、釣り情報表示装置４の制御部４６が、取得部４６１、表示制御部４６２、判定部４６３、及び通知部４６４として機能する。
【００７４】
図１５に示すように、取得部４６１は、無線通信部４７が電動リール１から受信したモータ駆動情報、すなわち、モータ１４に流れる電流値、及びモータ１４の温度を取得する（ステップＳ５１）。
【００７５】
次に、表示制御部４６２は、取得部４６１によって取得されたモータ駆動情報、すなわち、モータ１４に流れる電流値、及びモータ１４の温度を表示部４１の下部に表示する（ステップＳ５２）。また、判定部４６３は、取得部４６１によって取得されたモータ駆動情報に基づき、モータ１４の駆動状態が規定内か否かを判定する(ステップＳ５３)。具体的には、判定部４６３は、モータ１４に流れる電流値について、予め設定された第１の閾値、又は釣り人が設定した第１の閾値未満か否か判定する。また、判定部４６３は、モータ１４の温度についても、予め設定された第２の閾値、又は釣り人が設定した第２の閾値未満であるか否か判定する。判定部４６３は、モータ１４に流れる電流値が第１の閾値未満であり、且つモータ１４の温度が第２の閾値未満であると判定した場合に、モータ１４の駆動状態が規定内であると判定する。すなわち、判定部４６３は、モータ１４に流れる電流値が第１の閾値以上であった場合、又はモータ１４の温度が第２の閾値以上であった場合に、モータ１４の駆動状態が規定外であると判定する。
【００７６】
判定部４６３は、モータ１４の駆動状態が規定内であると判定した場合（ステップＳ５３のＹｅｓ）、制御部４６は、次のステップＳ３８を実行する。また、判定部４６３がモータ１４の駆動状態が規定外であると判定した場合（ステップＳ５３のＮｏ）、通知部４６４がその旨を釣り人に通知する（ステップＳ５４）。例えば、通知部４６４は、音声出力部４９から警告アラームを鳴らして釣り人に知らせたり、表示部４１に警告マークなどを表示したりして釣り人に知らせる。
【００７７】
図８に戻って説明を続ける。図８に示すように、制御部４６は、電動リール１が接続されていない、すなわちフラグＮＣがオンであると判断した場合（ステップＳ２７のＹｅｓ）、上述したように、魚群探知機６から受信した海底の水深データＤ２及び棚位置の水深データＤ３をエコーデータの画像でスケールＳＣの左側の水深に応じた位置に時系列的に表示する（ステップＳ３６）。また、制御部４６は、メニュー画面と同様に魚群探知機６からの電波のアンテナマーク７１を画面の左上部に表示する（ステップＳ３７）。
【００７８】
次に、制御部４６は、ボトムライン表示処理を行う（ステップＳ３８）。図１６は、ボトムライン表示処理の詳細を説明するためのフローチャートである。なお、ボトムライン表示処理とは、図１７に示すような底画像８０の境界となるボトムライン８１を表示する処理である。ボトムライン８１は、魚群探知機６の反射波の強度が最も強い部分を示す水底情報であって、反射波の郷土が弱い藻等の情報を除いた真の底部分を強調表示するものである。
【００７９】
図１６に示すように、制御部４６は、ボトムライン８１を表示するモードになっているか否かが判断する（ステップＳ６１）。具体的には、図１０に示すメニュー画面において、釣り人が「ボトムライン」を「ＯＮ」に設定したときには、制御部４６は、カーソルボタン４２２からその入力情報を取得し、ボトムライン８１を表示するモードになっていると判断する。また、釣り人が「ボトムライン」を「ＯＦＦ」に設定したときには、制御部４６は、カーソルボタン４２２からその入力情報を取得し、ボトムライン８１を表示するモードではないと判断する
【００８０】
制御部４６は、ボトムライン８１を表示するモードになっていると判断した場合（ステップＳ６１のＹｅｓ）、水底情報、すなわちラインを描画する位置を読み込む（ステップＳ６２）。次に、制御部４６は、ライン幅をたとえば太線表示に設定し（ステップＳ６３）、ラインの色をたとえば背景色が黒色や青色である場合には白色に設定する（ステップＳ６４）。なお、背景色が白色である場合には、ラインの色を黒色に設定する。
【００８１】
そして、制御部４６は、ステップＳ６３で読み込まれた位置に、幅広の白色ラインであるボトムライン８１を表示する（ステップＳ６５）。一方、図１０に示すメニュー画面において、釣り情報表示装置４のボトムラインの設定項目７７の設定内容７８が「ＯＦＦ」になっているときには、Ｓ８１でボトムライン８１を表示するモードになっていないと判断され、図１２に示す底画像８０のみが表示される。
【００８２】
［特徴］
本実施形態に係る釣り情報表示装置は、次の特徴を有する。
【００８３】
（１）制御部４６がモータ駆動情報を表示部４１に表示させる。このため、釣り人は釣り情報表示装置４の表示部４１を見ることによって電動リール１のモータ１４の駆動状態を確認することができる。すなわち、電動リール１のモータ１４に掛かる負荷を把握することができる。また、制御部４６は、モータ１４の駆動状態が規定外であると判定すると、その旨を釣り人に通知する。このため、モータ１４の駆動状態が規定外になったときに釣り人はその旨を知ることができる。したがって、釣り人は、ブレーカが作動する前にモータ１４の駆動状態が規定内となるように電動リール１を適切に操作することができる。
【００８４】
（２）釣り人は、モータに流れる電流値、及びモータの温度の少なくとも一方を確認することができる。また、釣り人は、モータに流れる電流値及びモータの温度の少なくとも一方が規定外であることを知ることができる。したがって、釣り人は、ブレーカが作動する前にモータの駆動状態が規定内となるように電動リールを適切に操作することができる。
【００８５】
（３）予め設定した第１の閾値以上の電流がモータ１４に流れると、制御部４６は、モータ１４の駆動状態が規定外であると判定し、その旨を通知する。このため、釣り人が電動リール１を操作することによって、モータ１４に第１の閾値以上の電流が流れ続けることを防止することができる。
【００８６】
（４）モータ１４の温度が予め設定した第２の閾値以上となると、制御部４６は、モータ１４の駆動状態が規定外であると判定し、その旨を通知する。このため、釣り人が電動リール１を操作することによって、モータ１４の温度が第２の閾値以上となり続けることを防ぐことができる。
【００８７】
［変形例］
以上、本発明の実施形態について説明したが、本発明はこれらに限定されるものではなく、本発明の趣旨を逸脱しない限りにおいて種々の変更が可能である。
【００８８】
変形例１
上記実施形態では、電動リール１のリール制御部２０は、モータ１４に流れる電流値とモータ１４の温度とを出力するが、特にこれに限定されない。例えば、電動リール１のリール制御部２０は、モータ１４に流れる電流値とモータ１４の温度のどちらか一方のみを出力し、釣り情報表示装置４の制御部４６は、そのどちらか一方のみを表示部４１に表示してもよい。
【００８９】
変形例２
上記実施形態では、制御部４６は、モータ１４に流れる電流値とモータ１４の温度との両方を表示するが、どちらか一方のみを表示部４１に表示してもよいし、釣り人が選択した値のみを表示部４１に表示してもよい。
【００９０】
変形例３
上記実施形態では、制御部４６は、モータ１４に流れる電流値とモータ１４の温度とによって、モータ１４の駆動状態が規定内であるか否かと判定するが、特にこれに限定されない。例えば、制御部４６は、モータ１４に流れる電流値のみでモータ１４の駆動状態が規定内であるか判定してもよいし、モータ１４の温度のみでモータ１４の駆動状態が規定内であるか判定してもよい。
【００９１】
変形例４
制御部４６は、モータに流れる電流値から、掛かった魚の数を推測し、表示部４１に表示する機能を有してもよい。なお、掛かった魚の数は数字で表してもよいし、魚の図形でその数を表してもよい。
【００９２】
変形例５
上記実施形態における制御部４６は、モータ駆動情報の表示設定がオンになっている場合のみ、モータ駆動情報７９を表示部４１に表示するが、特にこれに限定されない。例えば、制御部４６は、魚探画面において、モータ駆動情報７９を常に表示部４１に表示してもよい。また、モータ駆動情報の送信機能を持たない電動リールが接続された場合は、表示設定自体がメニューに表示されない、あるいはハイライト表示されて選択不能にしてもよい。
【００９３】
変形例６
制御部４６によるモータ駆動情報７９の表示方法は特に限定されるものではなく、例えば、モータに流れる電流値又はモータの温度の経時変化をグラフによって表示部４１に表示してもよいし、単に数値を表示部４１に表示してもよい。モータ駆動情報をグラフによって表示部４１に表示することで、釣り人は、モータ１４の駆動状態の経時変化を視覚的に把握し、モータ１４の駆動情報を予測することができる。
【符号の説明】
【００９４】
１    電動リール
４    釣り情報表示装置
１４    モータ
４６１    取得部
４６２    表示制御部
４６３    判定部
４６４    通知部
【図１】
2014161240.tif 000003
【図２】
2014161240.tif 000004
【図３】
2014161240.tif 000005
【図４】
2014161240.tif 000006
【図５】
2014161240.tif 000007
【図６】
2014161240.tif 000008
【図７】
2014161240.tif 000009
【図８】
2014161240.tif 000010
【図９】
2014161240.tif 000011
【図１０】
2014161240.tif 000012
【図１１】
2014161240.tif 000013
【図１２】
2014161240.tif 000014
【図１３】
2014161240.tif 000015
【図１４】
2014161240.tif 000016
【図１５】
2014161240.tif 000017
【図１６】
2014161240.tif 000018
【図１７】
2014161240.tif 000019